(57)【要約】      （修正有）【課題】一部門を対象としたサーバーラックにかかるものであり、簡単な構造で安価に提供でき、使い勝手の良い、小型のサーバーラックを提供する。【解決手段】前面と後面が開口する略箱状のラック本体の前面に、ラック本体に施錠可能で開閉自在に前扉が設けられ、ラック本体の後面に着脱自在に後面パネル６が設けられるサーバーラックにおいて、後面パネル６は、ラック本体に前後動可能に保持されたロック杆８の後端部が嵌入可能な嵌合孔６３０を有し、ラック本体に取付られ、前扉の閉鎖時に後方に押しやられ、後端部が後面パネル６の嵌合孔に嵌合して、後面パネル６の上方移動を阻止するものである。【選択図】図９
2012022587.tif 000002
【特許請求の範囲】
【請求項１】
少なくとも前面と後面が開口する略箱状のラック本体の前面に、ラック本体に施錠可能で開閉自在に前扉が設けられ、ラック本体の後面に開閉自在に後面パネルが設けられるサーバーラックにおいて、後面パネルは、下方に移動されて、ラック本体の後面の開口を閉塞し、閉塞状態から上方に移動されて後面の開口を開放し、ラック本体に前後動可能に保持されたロック杆の後端部が嵌入可能な嵌合孔を有し、ロック杆は、常に前端部がラック本体の前面から所定寸法前方に突出するよう付勢され、前扉の閉鎖時に後方に押しやられ、後端部が、ラック本体の後面の開口を閉塞した状態の後面パネルの嵌合孔に嵌合して、後面パネルの上方移動を阻止することを特徴とするサーバーラック。
【請求項２】
少なくとも前面と後面が開口する略箱状のラック本体の前面に、ラック本体に施錠可能で開閉自在に前扉が設けられ、ラック本体の後面に着脱自在に後面パネルが設けられるサーバーラックにおいて、後面パネルは、ラック本体の後面側の左右に形成された係止孔に上方から係止する下向き係止爪と、ラック本体に前後動可能に保持されたロック杆の後端部が嵌入可能な嵌合孔を有し、係止孔に下向き係止爪が係止して、ラック本体に取付られた時、ラック本体の後面下部に所定寸法の後面開口部が形成される高さ寸法に設定され、ロック杆は、常に前端部がラック本体の前面から所定寸法前方に突出するよう付勢され、前扉の閉鎖時に後方に押しやられ、後端部が後面パネルの嵌合孔に嵌合して、後面パネルの上方移動を阻止することを特徴とするサーバーラック。
【請求項３】
ロック杆は、ラック本体を構成する天板の前後補強材と中央補強材の巾方向略中央部を奥行き方向に貫通していることを特徴とする請求項１に記載のサーバーラック。
【発明の詳細な説明】
【技術分野】
【０００１】
本発明は、事業部門等の共有のデーター管理を行う記憶装置、通信機器等を収納する小型のサーバーラックに関するものである。
【背景技術】
【０００２】
従来、サーバーラックに収納したコンピューター機器のメンテナンスやコードの接続が容易に行え、情報の漏洩等、セキュリティの面からも、コンピューター機器に簡単に触れることが出来ないよう、正面側に錠付の扉を設け、左右側面側並びに背面側に各パネルを外部から着脱自在に組み付け、且つ組み付けられた状態において、ロック機構により施錠できるように構成され、該ロック機構を施錠並びに解錠するための操作部が、扉を開放したラック前面に配置し、扉を閉鎖したとき、操作部によって、ロック機構が施錠されるサーバーラックが提供されている。
このような、サーバーラックは、膨大なデーターを集約させる大容量のメインコンピューターを収納するには適しているが、構造が複雑で高価となるため、一部門単位の小型のサーバーラックには適さなかった。
【先行技術文献】
【特許文献】
【０００３】
【特許文献１】特許第３６５７８３３号公報
【発明の概要】
【発明が解決しようとする課題】
【０００４】
本発明は、このような問題点に鑑み、安価で、配線等の作業性に優れ、セキュリティ面でも安心な、小型のサーバーラックを提供することを課題とする。
【課題を解決するための手段】
【０００５】
上記課題を解決する為、本発明が第１の手段として構成したところは、少なくとも前面と後面が開口する略箱状のラック本体の前面に、ラック本体に施錠可能で開閉自在に前扉が設けられ、ラック本体の後面に開閉自在に後面パネルが設けられるサーバーラックにおいて、後面パネルは、下方に移動されて、ラック本体の後面の開口を閉塞し、閉塞状態から上方に移動されて後面の開口を開放し、ラック本体に前後動可能に保持されたロック杆の後端部が嵌入可能な嵌合孔を有し、ロック杆は、常に前端部がラック本体の前面から所定寸法前方に突出するよう付勢され、前扉の閉鎖時に後方に押しやられ、後端部が、ラック本体の後面の開口を閉塞した状態の後面パネルの嵌合孔に嵌合して、後面パネルの上方移動を阻止するものである。
【０００６】
次に、上記課題を解決する為、本発明の第２の手段として構成したところは、少なくとも前面と後面が開口する略箱状のラック本体の前面に、ラック本体に施錠可能で開閉自在に前扉が設けられ、ラック本体の後面に着脱自在に後面パネルが設けられるサーバーラックにおいて、後面パネルは、ラック本体の後面側の左右に形成された係止孔に上方から係止する下向き係止爪と、ラック本体に前後動可能に保持されたロック杆の後端部が嵌入可能な嵌合孔を有し、係止孔に下向き係止爪が係止して、ラック本体に取付られた時、ラック本体の後面下部に所定寸法の後面下部開口部が形成される高さ寸法に設定され、ロック杆は、常に前端部がラック本体の前面から所定寸法前方に突出するよう付勢され、前扉の閉鎖時に後方に押しやられ、後端部が後面パネルの嵌合孔に嵌合して、後面パネルの上方移動を阻止するものである
【０００７】
次に、上記課題を解決する為、本発明の第３の手段として構成したところは、上記第１、第２の手段に加え、ロック杆は、ラック本体を構成する天板の前後補強材と中央補強材の巾方向略中央部を奥行き方向に貫通しているものである。
【発明の効果】
【０００８】
請求項１に記載の発明によると、後面パネルがラック本体の後面の開口を閉塞した状態で、前扉を閉じると、扉の閉鎖力でロック杆の後端部が、後面パネルの嵌合孔に嵌入するので、後面パネルの上方移動が阻止され、後面パネルは、前扉を開放しない限り、取り外すことが出来ない。従って、前扉を施錠すれば、結果として、後面パネルも施錠された状態となり、サーバーラック内のコンピューター機器に簡単に触れることが出来ず、情報の漏洩等、セキュリティの面からも安心である。
【０００９】
請求項２に記載の発明によると、ラック本体の係止孔に、後面パネルに形成した下向き係止爪を上方から係止させた状態で、前扉を閉じると、扉圧でロック杆の後端部が、後面パネルの嵌合孔に嵌入するので、後面パネルの上方移動が阻止され、後面パネルは、前扉を開放しない限り、取り外すことが出来ない。従って、前扉を施錠すれば、結果として、後面パネルも施錠された状態となり、サーバーラック内のコンピューター機器に簡単に触れることが出来ず、情報の漏洩等、セキュリティの面からも安心である。
又、後面パネルは、ラック本体に取り付けられた状態で、ラック本体の後面下部に所定寸法の後面開口部が形成される高さ寸法に設定されているので、この後面開口部から、ケーブル等も持ち出しが可能であり、使い勝手に優れている。
さらに本発明は、係止孔、下向き係止爪、ロック杆から構成される簡単な構造であるから安価に製作出来、部門単位の小型のサーバーラックに適している。
【００１０】
請求項３に記載の発明によると、ロック杆は、後面パネルに嵌入するだけであるから、ラック本体の巾方向略中央部に設けることが出来、最小本数で構成できるので、安価に製作出来、さらに、ロック杆は天板の補強部材を貫通して支持させているから、ロック杆を支持する特別の部材を必要としないので、より安価に製作する事が出来る。
【図面の簡単な説明】
【００１１】
【図１】本発明の正面図である。
【図２】前扉を外した状態の本発明の正面図である。
【図３】本発明の背面図である。
【図４】前扉と後面パネルを外した状態での本発明の背面図である。
【図５】本発明の側面図である。
【図６】図１のＡ−Ａ線拡大断面図である。
【図７】図１のＢ−Ｂ線拡大断面図である。
【図８】図７のＣ部拡大図である。
【図９】図７のＤ部拡大図である。
【図１０】前扉を開いたときのＣ部に相当する箇所の拡大図である。
【図１１】前扉を開いたときのＤ部に相当する箇所の拡大図である。
【図１２】図７のＥ部拡大図である。
【図１３】図６のＦ部拡大図である。
【発明を実施するための形態】
【００１２】
安価で、配線等の作業性に優れ、セキュリティ面でも安心な、小型のサーバーラックを提供するという課題を、少なくとも前面と後面が開口する略箱状のラック本体の前面に、ラック本体に施錠可能で開閉自在に前扉が設けられ、ラック本体の後面に着脱自在に後面パネルが設けられるサーバーラックにおいて、後面パネルは、ラック本体の後面側の左右に形成された係止孔に上方から係止する下向き係止爪と、ラック本体に前後動可能に保持されたロック杆の後端部が嵌入可能な嵌合孔を有し、係止孔に下向き係止爪が係止して、ラック本体に取付られた時、ラック本体の後面下部に所定寸法の後面開口部が形成される高さ寸法に設定され、ロック杆は、常に前端部がラック本体の前面から所定寸法前方に突出するよう付勢され、前扉の閉鎖時に後方に押しやられ、後端部が後面パネルの嵌合孔に嵌合して、後面パネルの上方移動を阻止すると共に、ラック本体を構成する天板補強部材の巾方向略中央部を奥行き方向に貫通することによって実現した。
【実施例１】
【００１３】
以下、実施例を添付図面に基づいて詳述する。
本発明に係るサーバーラック１００は、図１〜図５に示すように、左右側パネル１、１
と、左右側パネル１、１の上端部間に連結された天板２と、左右端部下面にキャスター１０１・・・、アジャスター１０２・・・が設けられ、左右側パネル１、１の前後下端部に所定間隔を有して連結された前後底パネル３、４より、前面と後面が開口する略箱型のラック本体１０と、ラック本体１０の前面に、ラック本体１０に施錠可能で、開閉自在に取り付けられた前扉５と、ラック本体１０の後面に着脱自在に取り付けられた後面パネル６より構成されている。
【００１４】
左右側板１、１は対向した同形に形成されているので、以下一方側について説明する。
右側パネル１は、上下左右端部を内方に略Ｌ字形に折り曲げた上下前後曲縁を有する側表面板１１と、側表面板１１の前後端部内面に上下方向に配設された側前後縦補強材１２、１２と、側表面板１１の内面で、側前後縦補強材１２、１２の上下端部間に配設された側上下横補強材１３、１３を有し、側表面板１１には縦長の放熱孔１１１・・・が多数形成され、側上下横補強材１３、１３の前後端部には前後に所定間隔を有して複数個の螺孔１３１・・・が形成されている。
又、左右側パネル１、１の後折曲縁後面の上下所定位置には、側後縦補強材１２、１２
の後面側を貫通して、後面パネル６が取り付けるための係止孔１１０・・・が形成されている。
そして、収納されるコンピューターの前後寸法に対応して、前記複数個の螺孔１３１・
・・から所定の螺孔を選択し、前後方向に所定寸法を有して、上下方向に前後レール支持部材１４、１４が連結される。
【００１５】
前後レール支持部材１４、１４は、対向した同形に形成されているので、前レール支持部材１４についてのみ説明すると、前レール支持部材１４は、上下方向に所定間隔を有して複数個のレール取付孔１４１・・・を有し、内側方向に向かって突出する前端部に設けられた前レール取付用突片１４２と、前レール取付用突片１４２の後側に連設され、前記上下横補強材１３、１３の螺孔１３１・・・に対応して連結孔が形成された前連結部１４３と、前連結部１４３の後側に連設され、棚板受け座１０４を連結するための連結孔１０８・・・が上下方向に所定間隔を有して形成された前棚板受け座連結部１４４より構成されている。
【００１６】
棚板受け座１０４は、前後レール支持部材１４、１４の前後棚板受け座連結部１４４、１４４と連結される連結用下向き突片１０５と、連結用下向き突片１０５の上端部を所定寸法内方に突出させた棚板載置用突片１０６と、棚板載置用突片１０６の前後端部を下方に突出させた前後棚板連結用突片１０７、１０７より構成されている。
【００１７】
棚板受け座１０４は、左右側パネル１、１の前後レール支持部材１４・・・の下端部に、対向してネジ止め連結され、棚板１５の左右端部を支持する。尚、棚板受け座１０４は、場合によっては、上下方向所望の位置の連結孔１０８・・・を選択して取り付けることも可能である。すなわち、棚板１５は、棚板受け座１０４、１０４の棚板載置用突片１０６、１０６上に左右端部が載置される棚板表面板１５１と、棚板表面板１５１の前後端部を下方に突出させた前後垂下片１５２、１５２と、前垂下片１５２の下端の所定箇所を後方に突出せしめた前水平片１５３と、後垂下片１５２の下端を前方に突出せしめた後水平片１５４より構成されている。  そして棚板表面板１５１には多数の通風孔１５５・・・が形成されている。
【００１８】
すなわち、棚板１５の前水平片１５３の左右端部に、棚板受け座１０４の棚板載置用突片１０６の左右巾の長さよりやや大きめの切り欠きを設け、棚板１５の後垂下片１５２と後水平片１５４と棚板表面板１５１の後端部を、棚板受け座１０４の後棚板連結用突片１０７と棚板載置用突片１０６の後端部に、斜め後ろ下方から外嵌し、棚板表面板１５１の左右端部側を棚板受け座１０４、１０４の棚板載置用突片１０６、１０６上に載置させる。
この時、棚板１５の前水平片１５３の左右端部に棚板受け座１０４の棚板載置用突片１０６の左右巾の長さよりやや大きめの切り欠きを設けているので、前水平片１５３は、棚板載置用突片１０６、１０６に衝突することがなく、前垂下片１５２は前棚板連結用突片１０７の前面に位置し、前垂下片１５２と前棚板連結用突片１０７は連結ネジ１５０にて連結される。                        
棚板１５は上記の如く構成されているので、後方側から、棚板１５を左右の棚板受け座１０４、１０４に載置した後、コンピューター等に配線処理など必要な作業を、後方側から済ませたのち、前扉５を閉鎖するときに、前面側から連結ネジ１５０で、左右の棚板受け座１０４、１０４と棚板１５を連結すれば効率よく作業を行う事ができる。
【００１９】
前後底パネル３、４は対向した同形に形成されているので、前底パネル３についてのみ説明する。前底パネル３は、前後端部を内向きＬ字型におりまげた底前表面板３１と、底前表面板３１の前端部内面に設けられた内面補強材３２よりなり、左右端部が連結金具を介して、左右側パネル１、１の下端部の前後端部間に連結固着されている。
そして、内面補強材３２の左右端部下面にはキャスター１０１・・・、及び、アジャスター１０２・・・が設けられている。
すなわち、ラック本体１０は、前後底パネル３、４間に構成される下面開口部３００を有し、下面開口部３００から棚板１５の通風孔１５５・・・、左右側パネル１、１の放熱孔１１１・・・、及び後面パネル６の後記する放熱孔６００・・・を通して、内部で発生する熱を放熱する構成としている。
【００２０】
天板２は、前後端部を下向き略Ｌ字形に折り曲げて形成された前後折曲縁２１、２２と
、左右端部を段付けした左右連結用段付け部を有する天板表面板２３と前後折曲縁２１、２２の内面に連結された上向き略コ字形の天板前後補強材２４、２５と、前後方向の略中央部で巾方向に渡って設けられた上向き略コ字形の天板中央補強材２６を有し、左右端部が、側パネル１、１の上端間に連結固着されている。
そして、前後折曲縁２１、２２、天板前後補強材２４、２５、天板中央補強材２６（図７に示す。）の巾方向略中央部にそれぞれ、ロック杆支持孔８０・・・が形成され、ロック杆支持孔８０・・・を貫通してロック杆８が奥行き方向に渡って配設されている。
【００２１】
ロック杆８は、天板２の奥行き寸法に後面パネル６の厚み分を加えた寸法よりやや短めの寸法に形成されている。
そして、ロック杆８を前側によせて、前端部がほぼ後面パネル６の厚みよりよりやや短い寸法分、天板２から前方に突出した状態で、天板前補強材２４の後面に当接する位置に、ロック杆支持孔８０より大きいＥリングを固定して前ストッパー８１とし、天板後補強材２５の前面側に位置して平ワッシャを外挿してバネ後当たり８２とし、バネ後当たり８２の前側にコイルバネ８３を外挿し、さらに、前ストッパー８１が天板前補強材２４の後面に当接した状態で、バネ後当たり８２が天板後補強材２５の前面に当接し、コイルバネ８３がやや圧縮された状態を維持する位置に、平ワッシャを介してＥリング固定してバネ前当たり８４とし、常にロック８杆が前方に移動するよう付勢している。
【００２２】
後面パネル６は、上下左右端部を内方に略Ｌ字形に折り曲げた上下左右折曲縁６１・・
・を有し、ラック本体１０に取付られた時、ラック本体１０の後面下部（後底パネル４の上方）に所定寸法の後面下部開口部６０が形成される高さ寸法に設定され、上部の巾方向に多数の放熱孔６００・・・が形成された後面パネル表面板６２と、上折折曲縁６１の内面に設けられた略コ字形の後面パネル上補強材６３より構成され、後面パネル上補強材６３の巾方向略中央部には、前記ロック杆８の後端部が嵌合する嵌合孔６３０が形成され、左右折曲縁６１、６１の内面には、前記係止孔１１０・・・に上方から係止する下向き係止爪７０・・・を有する連結金具７・・・が設けられている。
【００２３】
すなわち、後面パネル６は、コンピューター等間の配線処理など必要な作業を、後方側から済ませたのち、ケーブル等をラック本体１の下方側に位置させた状態で、後方斜め上方から、下向き係止爪７０・・・が係止孔１１０・・・に係止し、ケーブル等を後面下部開口部６０から外部導出させた状態でラック本体１０に取り付けられる。
そして、前扉５が閉鎖されると、ロック杆８がコイルバネ８３の弾溌力に抗して後方に移動し、ロック杆８の後端部が、後面パネル６の嵌合孔６３０に嵌合するので、後面パネル６は上方移動を阻止され、前扉５を開放しない限り、取り外すことが出来ないので、外部からコンピューターにふれることが出来ずデーターの流失等を防ぐことが出来る。
【００２４】
前扉５は、上下左右端部を内方に略Ｌ字形に折り曲げた上下左右折曲縁５１・・・、取手５２、施錠装置５３、マグネットキャッチ（図示せず。）を有し、兆番５０、５０を介してラック本体１０の前面に開閉自在に設けられている。
そして、前扉５の閉鎖途中で、上折曲縁５１の裏面がロック杆８の前端面に当接し、コイルバネ８３の弾溌力に抗して、ロック杆８を後方に移動させ、閉鎖時にロック杆８の後端部が、後面パネル６の嵌合孔６３０に嵌合する。そして、マグネットキャッチの閉鎖力を、コイルバネ８３の弾溌力より強く設定することで、前扉５の閉鎖状態が維持され、施錠装置によって、前扉５は施錠される。
すなわち、施錠装置を解錠し、前扉５を開放しない限り、内部のコンピューターにふれることが出来ないのでデーターの流失等を防ぐことが出来る。
【００２５】
尚、実施例では、後面パネル６は、ラック本体１０の係止孔１１０・・・に後面パネル６の係止爪７０が上方から係止して、ラック本体１０に着脱自在に取り付けられる構成としているが、前扉５が閉鎖したとき、ロック杆８の後端部が嵌合して、後面パネル５の上方への移動が阻止され、ラック本体１０の後面の開口を閉塞した状態が維持される構成であれば良い。
例えば、後面パネル９をラック本体１０の後面にスライドレールを介して連結し、後面パネル９を上方にスライドさせたとき、ラック本体１０の後面が開口し、下方にスライドさせたとき後面の開口を閉塞する構成としても良い。
【産業上の利用可能性】
【００２６】
以上のように、本発明は、一部門を対象とした小型のサーバーラックにかかるものであり、簡単な構造で安価に提供できるので、使い勝手がよく、小さな事業所等で広く利用することができる。
【符号の説明】
【００２７】
１、１            左右側パネル
１０              ラック本体
１００            サーバーラック
１１０            係止孔
２                天板
２４              天板前補強材
２５              天板後補強材
２６              天板中央補強材
５                前扉
６                後面パネル
６３０            嵌合孔
７０              下向き係止爪
８                ロック杆
【図１】
2012022587.tif 000003
【図２】
2012022587.tif 000004
【図３】
2012022587.tif 000005
【図４】
2012022587.tif 000006
【図５】
2012022587.tif 000007
【図６】
2012022587.tif 000008
【図７】
2012022587.tif 000009
【図８】
2012022587.tif 000010
【図９】
2012022587.tif 000011
【図１０】
2012022587.tif 000012
【図１１】
2012022587.tif 000013
【図１２】
2012022587.tif 000014
【図１３】
2012022587.tif 000015